(57)【特許請求の範囲】
【請求項１】
携帯端末と、前記携帯端末に所定のネットワークを介して接続されたサーバと、空気調和機とを備え、前記空気調和機を管理する管理システムであって、
前記携帯端末は、
前記空気調和機に与えられた製品情報を取得する製品情報取得手段と、
前記空気調和機が設置された位置を示す位置情報を取得する位置情報取得手段と、
前記製品情報取得手段により取得された製品情報と前記位置情報取得手段により取得された位置情報とを前記ネットワークを介して前記サーバに送信する端末側送信手段とを備え、
前記サーバは、
前記端末側送信手段により送信された製品情報と位置情報とを受信するサーバ側受信手段と、
前記サーバ側受信手段により受信された製品情報と位置情報とを関連付けて記憶する記憶手段と、
前記サーバ側受信手段により受信された製品情報を基に、暗号コードを生成する暗号コード生成手段と、
前記暗号コード生成手段により生成された暗号コードを、前記製品情報と前記位置情報とを送信した携帯端末に送信するサーバ側送信手段とを備え、
前記空気調和機は、
人物による暗号コードの入力を受け付ける暗号コード入力手段と、
前記暗号コード入力手段により受け付けられた暗号コードが、自己の製品情報を基に生成された暗号コードであるか否かを判定する判定手段と、
前記判定手段において、前記暗号コード入力手段により受け付けられた暗号コードが、自己の製品情報を基に生成された暗号コードであると判定された場合、稼働を許可する稼働許可手段とを備えることを特徴とする管理システム。
【請求項２】
前記サーバは、
前記製品情報と前記位置情報とを送信した携帯端末に、当該送信への対価としての金額を示す電子マネー情報を生成する電子マネー情報生成手段を備え、
前記サーバ側送信手段は、前記電子マネー情報生成手段により生成された電子マネー情報を、前記製品情報と前記位置情報とを送信した携帯端末に、前記ネットワークを介して送信することを特徴とする請求項１記載の管理システム。
【請求項３】
前記空気調和機は、前記製品情報が含まれたＱＲコード（登録商標）を備え、
前記携帯端末における前記製品情報取得手段は、前記ＱＲコード（登録商標）を撮影手段により撮影することで前記製品情報を取得することを特徴とする請求項１又は２記載の管理システム。
【請求項４】
前記空気調和機は、前記製品情報が記憶されたＩＣタグを備え、
前記携帯端末における前記製品情報取得手段は、前記ＩＣタグに記憶された情報をＩＣタグリーダにより読み取ることで前記製品情報を取得することを特徴とする請求項１又は２記載の管理システム。
【発明の詳細な説明】
【技術分野】
【０００１】
本発明は、空気調和機を管理する管理システムに関するものである。
【背景技術】
【０００２】
特許文献１には、空気調和機がＧＰＳ（Global Positioning System）により取得した自己の位置情報と自己の製造番号とを監視センタに送信し、監視センタが受信した位置情報と製造番号とから空気調和機に関する保守、監視、メンテナンスを行う空気調和機のメンテナンスシステムが開示されている。
【０００３】
特許文献２には、メンテナンス対象の空気調和機の設置位置の確認を行うことを目的として、空気調和機室内ユニットがＧＰＳにより自己の位置情報を検出し、この位置情報をサービスマンが携帯する携帯端末のモニターに表示するメンテナンスシステムが開示されている。
【特許文献１】特許第３５９０８９１号公報
【特許文献２】特開２００２−２７７０２７号公報
【発明の開示】
【発明が解決しようとする課題】
【０００４】
しかしながら、特許文献１、２の技術では、位置情報が空気調和機により取得されているため、位置情報を取得するためのＧＰＳ受信機を空気調和機に付加しなければならず、その分、空気調和機のコストが増大するという問題があった。また、特許文献１、２の技術では、空気調和機の設置場所によってはＧＰＳ衛星からのＧＰＳ信号をうまくキャッチすることができず、位置情報を取得することができないケースが発生するという問題があった。更に、特許文献１、２の技術では、空気調和機を監視センタに設置された装置にネットワークを介して接続しなければ、空気調和機は種々のサービスを受けることができないと共に、ネットワークに接続するための通信機器を備えなければならず空気調和機のコストが増大するという問題があった。
【０００５】
本発明の目的は、空気調和機のコストを増大させることなく、空気調和機の位置情報を取得し、空気調和機を管理することができる管理システムを提供することである。
【課題を解決するための手段】
【０００６】
本発明による管理システムは、携帯端末と、前記携帯端末に所定のネットワークを介して接続されたサーバと、空気調和機とを備え、前記空気調和機を管理する管理システムであって、前記携帯端末は、前記空気調和機に与えられた製品情報を取得する製品情報取得手段と、前記空気調和機が設置された位置を示す位置情報を取得する位置情報取得手段と、前記製品情報取得手段により取得された製品情報と前記位置情報取得手段により取得された位置情報とを前記ネットワークを介して前記サーバに送信する端末側送信手段とを備え、前記サーバは、前記端末側送信手段により送信された製品情報と位置情報とを受信するサーバ側受信手段と、前記サーバ側受信手段により受信された製品情報と位置情報とを関連付けて記憶する記憶手段とを備えることを特徴とする。
【０００７】
この構成によれば、携帯端末により、空気調和機に与えられた製品情報が取得され、空気調和機が設置された位置を示す位置情報が取得され、これら製品情報と位置情報とがネットワークを介してサーバに送信される。また、サーバにより、携帯端末から送信された製品情報と位置情報とが受信され、これら製品情報と位置情報とが関連付けて記憶される。そのため、ユーザから製品情報を入手すると、その製品情報が付された空気調和機が設置された位置情報を特定することが可能となるため、空気調和機の管理を行うことが可能となる。すなわち、近年、ＧＰＳ機能付きのＰＤＡや携帯電話等の携帯端末が広く普及しているため、この携帯端末が備えるＧＰＳ機能を利用することで、空気調和機にＧＰＳ機能を付加しなくても、空気調和機の位置情報を取得することができる。その結果、空気調和機のコストを増大させることなく、空気調和機の位置情報を取得し、空気調和機を管理することができる。
【０００８】
また、前記サーバは、前記製品情報と前記位置情報とを送信した携帯端末に、当該送信への対価としての金額を示す電子マネー情報を生成する電子マネー情報生成手段と、前記電子マネー情報生成手段により生成された電子マネー情報を、前記製品情報と前記位置情報とを送信した携帯端末に、前記ネットワークを介して送信するサーバ側送信手段とを更に備えることが好ましい。
【０００９】
この構成によれば、サーバにおいて、製品情報と位置情報とを送信した携帯端末に、当該送信への対価としての金額を示す電子マネー情報が生成され、この電子マネー情報が、製品情報と位置情報とを送信した携帯端末にネットワークを介して送信されるため、例えば、空気調和機を設置した施工業者に対し、この空気調和機の製品情報と位置情報とのサーバへの送信を促すことが可能となり、より確実に製品情報と位置情報とを取得することが可能となる。
【００１０】
また、前記サーバは、前記サーバ側受信手段により受信された製品情報を基に、暗号コードを生成する暗号コード生成手段を更に備え、前記サーバ側送信手段は、前記暗号コード生成手段により生成された暗号コードを、前記製品情報と前記位置情報とを送信した携帯端末に送信し、前記空気調和機は、人物による暗号コードの入力を受け付ける暗号コード入力手段と、前記暗号コード入力手段により受け付けられた暗号コードが、自己の製品情報を基に生成された暗号コードであるか否かを判定する判定手段と、前記判定手段において、前記暗号コード入力手段により受け付けられた暗号コードが、自己の製品情報を基に生成された暗号コードであると判定された場合、稼働を許可する稼働許可手段とを備えることが好ましい。
【００１１】
この構成によれば、サーバにおいて、携帯端末から送信された製品情報を基に、暗号コードが生成され、この暗号コードが、製品情報と位置情報とを送信した携帯端末に送信される。また、空気調和機において、人物による暗号コードの入力が受け付けられ、この暗号コードが、自己の製品情報を基に生成された暗号コードであるか否かが判定され、この暗号コードが、自己の製品情報を基に生成された暗号コードであると判定された場合、稼働が許可されるため、ユーザは暗号コードを入手しなければ、空気調和機を稼働させることが困難となり、製品情報と位置情報との送信を促すことが可能となり、より確実に製品情報と位置情報とを取得することができる。
【００１２】
また、前記空気調和機は、前記製品情報が含まれたＱＲコード（登録商標）を備え、前記携帯端末における前記製品情報取得手段は、前記ＱＲコード（登録商標）を撮影手段により撮影することで前記製品情報を取得することが好ましい。
【００１３】
この構成によれば、空気調和機は、製品情報が含まれたＱＲコード（登録商標）を備え、このＱＲコード（登録商標）を撮影手段により撮影することで製品情報が取得されるため、例えば空気調和機を設置した施工業者はより容易に製品情報をサーバに送信することができる。
【００１４】
また、前記空気調和機は、前記製品情報が記憶されたＩＣタグを備え、前記携帯端末における前記製品情報取得手段は、前記ＩＣタグに記憶された情報をＩＣタグリーダにより読み取ることで前記製品情報を取得することが好ましい。
【００１５】
この構成によれば、空気調和機は、製品情報が記憶されたＩＣタグを備え、ＩＣタグに記憶された情報がＩＣタグリーダにより読み取られることで製品情報が取得されるため、例えば空気調和機を設置した施工業者はより容易に製品情報をサーバに送信することができる。
【発明の効果】
【００１６】
本発明によれば、空気調和機のコストを増大させることなく、空気調和機の位置情報を取得し、空気調和機を管理することができる。
【発明を実施するための最良の形態】
【００１７】
以下、本発明の実施の形態による管理システムについて説明する。図１は、本発明の実施の形態による管理システムの全体構成図である。この管理システムは、携帯端末１０、サーバ２０、及び空気調和機３０を備えている。携帯端末１０及びサーバ２０はネットワークＮＴを介して種々のデータが送受信可能に接続されている。ネットワークＮＴとしては、移動体通信網及びインターネット通信網などが採用され、ＴＣＰ／ＩＰ等の所定の通信プロトコルに従って種々のデータが伝送される。携帯端末１０は、ＧＰＳ（Global Positioning System）衛星４０から送信されるＧＰＳ信号が受信可能なＧＰＳ機能を備える
携帯電話やＰＤＡ（Personal Digital Assistant）といった携帯端末から構成されている。空気調和機３０は、例えばビルや一般住宅等に設置されたエアコンから構成されている。空気調和機３０の筐体には、空気調和機の製品情報及びサーバ２０の通信アドレスを含むＱＲコード（登録商標）が貼り付けられている。サーバ２０は、例えば、空気調和機３０を製造した製造メーカや、空気調和機３０を保守する管理会社に設置されている。
【００１８】
そして、本管理システムにおいては、携帯端末１０を携帯した施工業者の作業員に、空気調和機３０を設置させた後、携帯端末１０が備えるＧＰＳ機能により空気調和機３０の位置情報を取得させると共に、携帯端末１０が備えるカメラ１１にてＱＲコード（登録商標）を撮影させて空気調和機３０の製品情報を取得させ、この位置情報と製品情報とをネットワークＮＴを介してサーバ２０に送信させる。
【００１９】
図２は、図１に示す携帯端末１０のブロック図を示している。携帯端末１０は、カメラ１１（撮影手段）、操作部１２、通信部１３（端末側送信手段）、ＧＰＳ受信部１４（位置情報取得手段）、制御部１５、表示部１６、及びマネー情報記憶部１７を備える。カメラ１１は、ＣＣＤ等のイメージセンサから構成され、操作部１２による受け付けられたユーザからの撮像指令に従って被写体を撮影する。本実施の形態では、カメラ１１は、特に空気調和機３０に貼り付けられたＱＲコード（登録商標）を撮影する。
【００２０】
操作部１２は、電話番号、アルファベット、及び記号等を入力するためのテンキーを備え、ユーザによってなされる種々の入力を受け付ける。
【００２１】
通信部１３は、ＧＳＭ、ＣＤＭＡ／ＯＮＥ、Ｗ−ＣＤＭＡ、及びＣＤＭＡ２０００といった移動体通信の通信プロトコルに従って種々のデータを送受信する通信装置から構成され、制御部１５の制御の下、ネットワークＮＴに対して種々のデータを送信すると共に、ネットワークＮＴを流れる種々のデータを受信する。本実施の形態では、特に、通信部１３は、製品情報取得部１５１により取得された製品情報とＧＰＳ受信部１４により算出された位置情報とが関連付けられた送信データを、ネットワークＮＴを介してサーバ２０に送信する。
【００２２】
ＧＰＳ受信部１４は、ＧＰＳ衛星４０から送信されるＧＰＳ信号を受信することで、携帯端末１０の現在位置を示す位置情報を算出する。この携帯端末１０の位置情報が、空気
調和機３０の位置情報となる。そのため、作業員は空気調和機３０の近傍においてＧＰＳ衛星４０から送信されるＧＰＳ信号を受信することが好ましい。但し、空気調和機３０の設置環境によっては、空気調和機３０の近傍にＧＰＳ衛星４０からのＧＰＳ信号が届かず、ＧＰＳ信号を受信することができないおそれがある。この場合、作業員は、携帯端末１０を所持したまま、ＧＰＳ衛星４０からのＧＰＳ信号を受信することができる場所であって、空気調和機３０に最も近い場所まで移動し、その場所における位置情報を空気調和機３０の位置情報とすればよい。
【００２３】
制御部１５は、例えばＣＰＵ、ＲＯＭ、及びＲＡＭ等から構成され、携帯端末１０の全体制御を司るものであり、製品情報取得部１５１、通知データ生成部１５２、及びマネー情報管理部１５３の機能を備えている。これらの機能はＣＰＵがＲＯＭに記憶された制御プログラムを実行することで実現される。製品情報取得部１５１は、カメラ１１により撮影されたＱＲコード（登録商標）を示す画像に対して所定の画像処理を施し、ＱＲコード（登録商標）に含まれる空気調和機３０の製品情報と、サーバ２０の通信アドレスとを取得する。ここで、空気調和機３０に貼り付けられたＱＲコード（登録商標）は、空気調和機３０の製品情報とサーバ２０の通信アドレスとを用いて、例えばＱＲコード（登録商標）作成するためのアプリケーションソフトウエアを用いて予め作成されたものである。
【００２４】
通知データ生成部１５２は、製品情報取得部１５１により取得された製品情報と、ＧＰＳ受信部１４により算出された位置情報と、携帯端末１０の通信アドレスとを含み、製品情報取得部１５１により取得されたサーバ２０の通信アドレスを通信先とする通知データを生成し、この通知データを通信部１３に送信させる。
【００２５】
マネー情報管理部１５３は、携帯端末１０が所持する電子マネー情報を管理するものであり、サーバ２０から送信された電子マネー情報によって示される金額を、管理データベース記憶部２４１に記憶される電子マネー情報によって示される金額に加算し、この金額を示す電子マネー情報で、マネー情報記憶部１７に記憶された電子マネー情報を更新する。また、マネー情報管理部１５３は、操作部１２において、所定金額の電子マネーを使用する入力が受け付けられた場合、この金額を示す電子マネー情報を生成し、通信部１３に送信させる。この場合、マネー情報管理部１５３は、マネー情報記憶部１７に記憶されている電子マネー情報に示される金額から、生成した電子マネー情報により示される金額を減じ、減じた金額を示す電子マネー情報で、マネー情報記憶部１７に記憶されている電子マネー情報を更新する。表示部１６は、液晶表示パネル、有機ＥＬパネル等の表示装置から構成され、制御部１５の制御の下、種々の画像を表示する。
【００２６】
図３は、サーバ２０のブロック図を示している。サーバ２０は、パーソナルコンピュータといった一般的なコンピュータから構成され、表示部２１、操作部２２、通信部２３、記憶部２４、及び制御部２５を備えている。
【００２７】
表示部２１は、液晶表示パネル、有機ＥＬパネル等の表示装置から構成され、制御部２５の制御の下、種々の画像を表示する。操作部２２は、キーボード、マウス等の入力装置から構成され、ユーザによってなされる種々の入力を受け付ける。通信部２３は、モデム等の通信装置から構成され、制御部２５の制御の下、ネットワークＮＴに流れる通信データを受信すると共に、ネットワークＮＴに通信データを送信する。
【００２８】
記憶部２４は、ハードディスク等の記憶装置から構成され、管理データベース記憶部２４１を備えている。管理データベース記憶部２４１は、データベース構築部２５１により構築された管理データベースを記憶する。図４は、管理データベースのデータフォーマットを示した図である。図４に示すように管理データベースは「製品情報」のフィールド、「位置情報」のフィールド、及び「測定日時」のフィールドを備えている。「製品情報」としては、空気調和機３０に付与された製品番号を示す記号列を採用することができる。ここで、製品番号は、空気調和機３０に対して一意に与えられた記号列から構成される。
【００２９】
「位置情報」には、例えば携帯端末１０がＧＰＳ衛星４０からのＧＰＳ信号を受信した位置の緯度及び経度を示す情報が含まれている。「測定日時」には、例えば位置情報を測定した、年、日付、及び時刻が含まれる。
【００３０】
制御部２５１は、ＣＰＵ、ＲＯＭ、ＲＡＭ等から構成され、サーバ２０の全体制御を司るものであり、データベース構築部２５１、電子マネー情報生成部２５２、暗号コード生成部２５３、及び検索部２５４の機能を備えている。
【００３１】
データベース構築部２５１は、携帯端末１０から送信された通知データから位置情報と製品情報と測定日時とを１つのレコードとして管理データベース記憶部２４１に記憶させる。そして、データベース構築部２５１は、このような処理を繰り返し行うことで、空気調和機３０の製品情報と位置情報と測定日時とを関連付けて記憶する管理データベースを構築する。
【００３２】
電子マネー情報生成部２５２は、製品情報と位置情報とを送信した携帯端末１０に、当該送信への対価としての金額を示す電子マネー情報を生成する。
【００３３】
暗号コード生成部２５３は、通信部２３により受信された製品情報を、ランレングス法、ハフマン符号法、ＬＺＷ法といった可逆式の暗号方式を用いて暗号化し、暗号コードを生成する。検索部２５４は、操作部２２を用いて入力された検索条件に該当するデータを管理データベースから抽出し、抽出したデータを表示部２１に表示する。
【００３４】
図５は、空気調和機３０のブロック図を示している。空気調和機３０は、操作部３１、制御部３２、駆動部３３、及びモータ３４を備えている。操作部３１は、空気調和機３０の温度を設定したりするためのユーザからの入力を受け付け、この入力を赤外線信号によって制御部３２に出力するリモートコントローラから構成される。本実施の形態では、特に、操作部３１は、サーバ２０により生成された暗号コードの入力を受け付ける。
【００３５】
制御部３２は、ＣＰＵ、ＲＯＭ、及びＲＡＭ等を含むマイクロコンピュータから構成され、ＲＯＭに記憶された制御プログラムをＣＰＵが実行することで、空気調和機３０の全体制御を司るものであり、判定部３２１、稼働許可部３２２、製品情報記憶部３２３、及び稼働許可フラグ記憶部３２４の機能を備えている。判定部３２１は、操作部３１に受け付けられた暗号コードに所定の復号処理を施して、暗号コードを復号化し、得られたデータが製品情報記憶部３２３に記憶された製品情報と一致するか否かにより、操作部３１により受け付けられた暗号コードが自己の製品情報を基に生成された暗号コードであるか否かを判定する。ここで、所定の復号処理としては、サーバ２０の暗号コード生成部２５３が製品情報を暗号化する際に使用した暗号方式に対応する復号処理が採用される。
【００３６】
稼働許可部３２２は、判定部３２１において、操作部３１により受け付けられた暗号コードが、自己の製品情報を基に生成された暗号コードであると判定された場合、稼働を許可する。ここで、稼働許可部３２２は、操作部３１により受け付けられた暗号コードが、自己の製品情報を基に生成された暗号コードであると判定された場合、例えば稼働許可フラグ記憶部３２４に記憶された稼働許可フラグを稼働の不許可を示す「０」から稼働の許可を示す「１」に設定する。稼働許可部３２２は、稼働許可フラグに「１」を設定している場合、駆動部３３に商用電源からの電力を供給し、駆動部３３にモータ３４を駆動させる。一方、稼働許可部３２２は、稼働許可フラグに「０」を設定している場合、駆動部３３に商用電源からの電力供給を遮断し、駆動部３３にモータ３４を駆動させない。なお、稼働許可部３２２は、稼働許可フラグを一旦「１」に設定すると、操作部３１に稼働許可フラグを「１」から「０」にするためのコマンドが入力されない限り、稼働許可フラグを「１」の状態に保持する。
【００３７】
製品情報記憶部３２３は、例えばＥＥＰＲＯＭ（Electrically Erasable Programmable
Read-Only Memory）等の不揮発性の書き換え可能な記憶装置から構成され、空気調和機３０に対して一意に与えられた製品情報を予め記憶している。稼働許可フラグ記憶部３２４は、例えばＥＥＰＲＯＭ等の不揮発性の書き換え可能な記憶装置から構成され、稼働許可部３２２により「１」又は「０」の稼働許可フラグが書き込まれる。
【００３８】
駆動部３３は、商用電源から供給される商用電力を整流、平滑化して直流電力を生成する電源回路と、電源回路により生成された直流電力を、モータ３４の駆動に適した所定の振幅を有する交流電力に変換するインバータ等から構成され、制御部３２の制御に従って、モータ３４を駆動させる。モータ３４は、例えば圧縮機を駆動するためのＤＣブラスレスモータから構成され、インバータから出力される交流電力によって駆動される。
【００３９】
図６は、携帯端末１０とサーバ２０との動作を示すフローチャートである。まず、ステップＳ１において、携帯端末１０におけるカメラ１１が、空気調和機３０に貼り付けられたＱＲコード（登録商標）を撮影し、製品情報取得部１５１が、カメラ１１により撮影されたＱＲコード（登録商標）を示す画像に所定の画像処理を実行し、空気調和機３０の製品情報及びサーバ２０の通信アドレスを取得する。
【００４０】
ステップＳ２において、ＧＰＳ受信部１４が、ＧＰＳ衛星４０から送信されるＧＰＳ信号を受信し、携帯端末１０の位置情報を空気調和機３０の位置情報として算出する。ここで、ＧＰＳ受信部１４は、操作部１２において、位置情報を取得するための入力が受け付けられると、ＧＰＳ衛星４０から送信されるＧＰＳ信号を受信し、このＧＰＳ信号から携帯端末１０の位置情報を算出する。
【００４１】
ステップＳ３において、通知データ生成部１５２は、ＧＰＳ受信部１４により算出された位置情報と、製品情報取得部１５１により取得された製品情報と、携帯端末１０の通信アドレスとを含み、かつ、製品情報取得部１５１により取得されたサーバ２０の通信アドレスを通信先とする通知データを生成し、サーバ２０に送信する。
【００４２】
ステップＳ１１において、サーバ２０における通信部２３は通知データを受信する。ステップＳ１２において、データベース構築部２５１は、ステップＳ１１で受信された通知データから位置情報と製品情報と測定日時とを抽出し、抽出した位置情報と製品情報と測定日時とを１つのレコードとして管理データベース記憶部２４１に記憶する。
【００４３】
ステップＳ１３において、電子マネー情報生成部２５２は、ステップＳ１１で受信された通知データを送信した携帯端末１０に当該送信の対価としての金額を示す電子マネー情報を生成する。この電子マネー情報により示される金額は予め定められた金額を採用することができる。
【００４４】
ステップＳ１４において、通信部２３は、ステップＳ１３で生成された電子マネー情報を、ステップＳ１１で受信された通知データを送信した携帯端末１０に送信する。ステップＳ４において、携帯端末１０の通信部１３は、サーバ２０から送信された通知データを受信する。
【００４５】
ステップＳ１５において、暗号コード生成部２５３は、ステップＳ１１で受信した通知データに含まれる製品情報を所定の暗号方式に従って暗号化し、暗号コードを生成する。ステップＳ１６において、通信部２３は、ステップＳ１５で生成された暗号コードをステップＳ１１で受信された通知データを送信した携帯端末１０に送信する。
【００４６】
ステップＳ５において、携帯端末１０における通信部１３は、サーバ２０から送信された暗号コードを受信する。ステップＳ６において、制御部１５は、通信部１３により受信された暗号コードを表示部１６に表示する。この場合、表示部１６は、記号列からなる暗号コードを表示する。
【００４７】
図７は、空気調和機３０の動作を示すフローチャートである。まず、ステップＳ２１において、操作部３１により暗号コードの入力が受け付けられると（ステップＳ２１でＹＥＳ）、判定部３２１は、受け付けられた暗号コードに所定の復号処理を施して、暗号コードを復号化する。ステップＳ２２において、判定部３２１は、ステップＳ２１で復号化することで得られたデータが製品情報記憶部３２３に記憶された自己の製品情報と一致するか否かを判定する。
【００４８】
ステップＳ２２において、判定部３２１は、復号化することで得られたデータが自己の製品情報と一致すると判定した場合（ステップＳ２２でＹＥＳ）、稼働許可部３２２は、稼働許可フラグに稼働の許可を示す「１」を設定し（ステップＳ２３）、復号化することで得られたデータが自己の製品情報と一致しないと判定した場合（ステップＳ２２でＮＯ）、稼働許可フラグに稼働の不許可を示す「０」を設定する（ステップＳ２５）。
【００４９】
ステップＳ２４において、稼働許可部３２２は、駆動部３３に商用電力を入力させ、空気調和機３０の稼働を許可する。ステップＳ２６において、稼働許可部３２２は、駆動部３３に商用電力を入力させず、空気調和機３０の稼働を許可しない。
【００５０】
具体的には、駆動部３３は商用電力の駆動部３３に入力させたり、遮断させたりするための機械式又はトランジスタ等の電気式のスイッチを備え、稼働許可部３２２は、稼働許可フラグ記憶部３２４に稼働の許可を示す「１」が格納されている場合、このスイッチをオンし、稼働の不許可を示す「０」が格納されている場合、このスイッチをオフする。
【００５１】
このように、本管理システムによれば、携帯端末１０により、空気調和機３０に与えられた製品情報が取得され、空気調和機３０が設置された位置を示す位置情報が取得され、これら製品情報と位置情報とを含む通知データがネットワークＮＴを介してサーバ２０に送信される。また、サーバ２０により、携帯端末１０から送信された通知データが受信され、通知データに含まれる製品情報と位置情報と測定日時とが関連付けて記憶される。そのため、サーバ２０は、ユーザから製品情報を入手すると、その製品情報が付された空気調和機３０が設置された位置情報を特定することが可能となるため、空気調和機３０の管理を行うことが可能となる。すなわち、近年、ＧＰＳ機能付きのＰＤＡや携帯電話等の携帯端末が広く普及しているため、この携帯端末１０が備えるＧＰＳ機能を利用することで、空気調和機３０にＧＰＳ機能を付加しなくても、空気調和機３０の位置情報を取得することができる。その結果、空気調和機３０のコストを増大させることなく、空気調和機３０の位置情報を取得し、空気調和機３０を管理することができる。
【００５２】
また、サーバ２０において、製品情報と位置情報とを含む通知データを送信した携帯端末１０に、当該送信への対価としての金額を示す電子マネー情報が生成され、この電子マネー情報が、通知データを送信した携帯端末１０にネットワークＮＴを介して送信されるため、例えば、空気調和機３０を設置した施工業者に対し、この空気調和機３０の製品情報と位置情報とを含む通知データのサーバ２０への送信を促すことが可能となり、より確実に製品情報と位置情報とを取得することが可能となる。
【００５３】
また、サーバ２０において、携帯端末１０から送信された製品情報を基に、暗号コードが生成され、この暗号コードが、製品情報と位置情報とを送信した携帯端末１０に送信される。また、空気調和機３０において、人物による暗号コードの入力が受け付けられ、この暗号コードが、自己の製品情報を基に生成された暗号コードであるか否かが判定され、この暗号コードが、自己の製品情報を基に生成された暗号コードであると判定された場合、稼働が許可されるため、ユーザは暗号コードを入手しなければ、空気調和機３０を稼働させることが困難となり、製品情報と位置情報との送信を促すことが可能となり、より確実に製品情報と位置情報とを取得することができる。
【００５４】
また、空気調和機３０は、製品情報が含まれたＱＲコード（登録商標）が貼り付けられ、このＱＲコード（登録商標）がカメラ１１により撮影されることで製品情報が取得されるため、例えば空気調和機３０を設置した施工業者はより容易に製品情報をサーバ２０に送信することができる。
【００５５】
なお、上記実施の形態では、製品情報が含まれたＱＲコード（登録商標）を用いたが、これに限定されず、製品情報が予め記憶されたＩＣタグを空気調和機３０に取り付けてもよい。この場合、ＩＣタグリーダを備える携帯端末１０を採用し、このＩＣタグリーダにより製品情報を取得するようにすればよい。
【図面の簡単な説明】
【００５６】
【図１】本発明の実施の形態による管理システムの全体構成図である。
【図２】図１に示す携帯端末のブロック図を示している。
【図３】サーバのブロック図を示している。
【図４】管理データベースのデータフォーマットを示した図である。
【図５】空気調和機のブロック図を示している。
【図６】携帯端末とサーバとの動作を示すフローチャートである。
【図７】空気調和機の動作を示すフローチャートである。
【符号の説明】
【００５７】
１０  携帯端末
１１  カメラ
１２  操作部
１３  通信部
１４  ＧＰＳ受信部
１５  制御部
１６  表示部
１７  マネー情報記憶部
２０  サーバ
２１  表示部
２２  操作部
２３  通信部
２４  記憶部
２５  制御部
３０  空気調和機
３１  操作部
３２  制御部
３３  駆動部
３４  モータ
４０  ＧＰＳ衛星
１５１  製品情報取得部
１５２  通知データ生成部
１５３  マネー情報管理部
２４１  管理データベース記憶部
２５１  データベース構築部
２５２  電子マネー情報生成部
２５３  暗号コード生成部
２５４  検索部
３２１  判定部
３２２  稼働許可部
３２３  製品情報記憶部
３２４  稼働許可フラグ記憶部
ＮＴ  ネットワーク
【図１】
0004957404.tif 000002
【図２】
0004957404.tif 000003
【図３】
0004957404.tif 000004
【図４】
0004957404.tif 000005
【図５】
0004957404.tif 000006
【図６】
0004957404.tif 000007
【図７】
0004957404.tif 000008